【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
ディスプレイ上の電子画像を観察する際、眼の輻輳を軽減するためのシステムであって、
電子画像を受信し、該画像の一連のフレームを含む出力を生成するように構成されている電子回路であって、
該フレームは、時間パターンに従った距離だけ、該ディスプレイ上で左右にシフトされ、該距離は、実質的輻輳を伴わずに、各眼が該画像を観察するために十分な大きさである、電子回路と、
該時間パターンに従って、交互に開閉するように構成されている、左眼シャッタおよび右眼シャッタと
を備えている、システム。
【請求項２】
前記電子回路の出力を受信するために接続されている、ディスプレイをさらに備えている、請求項１に記載のシステム。
【請求項３】
前記電子画像を前記電子回路に供給するために接続されている、源をさらに備えている、請求項２に記載のシステム。
【請求項４】
前記電子回路は、前記左眼シャッタおよび前記右眼シャッタに連結されるタイミング信号を発生させる、請求項１に記載のシステム。
【請求項５】
前記タイミング信号は、前記電子回路から前記左眼シャッタおよび前記右眼シャッタへと有線で連結される、請求項４に記載のシステム。
【請求項６】
前記タイミング信号は、前記電子回路から前記左眼シャッタおよび前記右眼シャッタへと無線で連結される、請求項４に記載のシステム。
【請求項７】
前記時間パターンは、不変である、請求項１に記載のシステム。
【請求項８】
前記電子回路は、３０Ｈｚ〜１２０Ｈｚの範囲内の速度で前記画像をシフトするように構成されている、請求項７に記載のシステム。
【請求項９】
前記画像シフト距離は、０．１ｃｍ〜５ｃｍの範囲内である、請求項７に記載のシステム。
【請求項１０】
前記画像シフト距離は、デバイスからの入力によって、ユーザ選択可能であって、前記電子回路は、該入力に応答して、前記事前選択された距離を調節するように構成されている、請求項１に記載のシステム。
【請求項１１】
前記電子回路は、前記ユーザが前記距離を選択可能であるように、前記ディスプレイ上で交互に左右にシフトされるフレームを表示するように構成されている、請求項１０に記載のシステム。
【請求項１２】
前記電子回路は、前記ユーザが前記画像を単一画像として知覚する最大距離まで増分的に前記距離を増加するように構成されている、請求項１０に記載のシステム。
【請求項１３】
前記電子回路は、左眼視力および右眼視力を交代させるために、各眼の上に装着されているシャッタを開閉するように構成されている、請求項１に記載のシステム。
【請求項１４】
前記左眼シャッタおよび前記右眼シャッタは、前記電子回路からのタイミング信号に応答して開閉するように構成されている、液晶シャッタを備えている、請求項１３に記載のシステム。
【請求項１５】
前記左眼シャッタおよび前記右眼シャッタは、前記電子回路からのタイミング信号に応答して開閉するように構成されている、機械的シャッタを備えている、請求項１３に記載のシステム。
【請求項１６】
ユーザによって装着されるように構成されているフレームをさらに備え、前記左眼シャッタおよび前記右眼シャッタは、前記フレーム上に搭載されている、請求項１に記載のシステム。
【請求項１７】
左レンズおよび右レンズをさらに備え、それぞれ、前記フレームに接続され、前記ユーザの視力を矯正する、請求項１６に記載のシステム。
【請求項１８】
前記フレームおよびシャッタは、前記ユーザの視力を矯正するレンズと使用するために構成されている、請求項１６に記載のシステム。
【請求項１９】
前記レンズは、前記ユーザの近視、遠視、乱視、または擬似近視のうちの少なくとも１つを矯正する、請求項１８に記載のシステム。
【請求項２０】
前記レンズは、読書用眼鏡を含む、請求項１８に記載のシステム。
【請求項２１】
ディスプレイ上の電子画像を観察する際の眼の輻輳を軽減するための方法であって、
時間パターンに従った距離だけ、該ディスプレイ上で該電子画像を水平にシフトさせることと、
該時間パターンに従って、該ディスプレイの左眼観察と右眼観察とを交代させることと
を包含し、該距離は、実質的輻輳を伴わずに、各眼が該画像を観察するために十分な大きさである、方法。
【手続補正２】
【補正対象書類名】明細書
【補正対象項目名】００２１
【補正方法】変更
【補正の内容】
【００２１】
多くの実施形態では、フレームおよびシャッタは、ユーザの視力を矯正するレンズを使用するために構成されている。レンズは、ユーザの近視、遠視、乱視、または擬似近視のうちの少なくとも１つを矯正し得る。特定の実施形態では、レンズは、読書用眼鏡を備える。
例えば、本発明は以下の項目を提供する。
（項目１）
ディスプレイ上の電子画像を観察する際の眼の輻輳を軽減するための方法であって、
時間パターンに従った距離だけ、該ディスプレイ上で該電子画像を水平にシフトさせるステップと、
該時間パターンに従って、該ディスプレイの左眼観察と右眼観察とを交代させるステップと
を包含し、該距離は、実質的輻輳を伴わずに、各眼が該画像を観察するために十分な大きさである、方法。
（項目２）
上記時間パターンは、不変である、項目１に記載の方法。
（項目３）
上記画像は、３０Ｈｚ乃至１２０Ｈｚの範囲内の速度でシフトする、項目２に記載の方法。
（項目４）
上記事前選択された距離は、０．１ｃｍ乃至５ｃｍの範囲内である、項目２に記載の方法。
（項目５）
上記左眼視力および上記右眼視力を交代させるステップは、各眼の上に装着されるシャッタを交互に開閉するステップを包含する、項目１に記載の方法。
（項目６）
上記開閉するステップは、液晶シャッタへのエネルギー供給をオンオフするステップを包含する、項目５に記載の方法。
（項目７）
上記開閉するステップは、機械的シャッタを開閉するステップを包含する、項目５に記載の方法。
（項目８）
上記画像シフト距離は、事前選択された距離を含む、項目１に記載の方法。
（項目９）
上記画像シフト距離は、ユーザによって選択された距離に対応する、項目１に記載の方法。
（項目１０）
上記ユーザによって選択された距離は、該ユーザによって知覚され、ユーザの快適性に応じて選択される、項目９に記載の方法。
（項目１１）
上記画像シフト距離は、上記ユーザが上記画像を単一画像として知覚する最大距離まで増分的に増加される、項目９に記載の方法。
（項目１２）
上記画像は、上記ユーザの左眼で観察されるとき、左へシフトされ、該画像は、該ユーザの右眼で観察されるとき、右へシフトされる、項目１に記載の方法。
（項目１３）
上記画像の倍率は、各眼ごとに各眼による観察のための量だけ減少され、該量は、各眼に対して同一である、項目１に記載の方法。
（項目１４）
上記画像の倍率は、上記ディスプレイ上の画像のサイズが縮小されるが、該ディスプレイ上で各眼による観察のためにシフトされるとき、該画像がトリミングされないように、各眼ごとに各眼による観察のために減少される、項目１に記載の方法。
（項目１５）
ディスプレイ上の電子画像を観察する際、眼の輻輳を軽減するためのシステムであって、
電子画像を受信し、該画像の一連のフレームを含む出力を生成するように構成されている電子回路であって、
該フレームは、時間パターンに従った距離だけ、該ディスプレイ上で左右にシフトされ、該距離は、実質的輻輳を伴わずに、各眼が該画像を観察するために十分な大きさである、電子回路と、
該時間パターンに従って、交互に開閉するように構成されている、左眼シャッタおよび右眼シャッタと
を備えている、システム。
（項目１６）
上記電子回路の出力を受信するために接続されている、ディスプレイをさらに備えている、項目１５に記載のシステム。
（項目１７）
上記電子画像を上記電子回路に供給するために接続されている、源をさらに備えている、項目１６に記載のシステム。
（項目１８）
上記電子回路は、上記左眼シャッタおよび上記右眼シャッタに連結されるタイミング信号を発生させる、項目１５に記載のシステム。
（項目１９）
上記タイミング信号は、上記電子回路から上記左眼シャッタおよび上記右眼シャッタへと有線で連結される、項目１８に記載のシステム。
（項目２０）
上記タイミング信号は、上記電子回路から上記左眼シャッタおよび上記右眼シャッタへと無線で連結される、項目１８に記載のシステム。
（項目２１）
上記時間パターンは、不変である、項目１５に記載のシステム。
（項目２２）
上記電子回路は、３０Ｈｚ乃至１２０Ｈｚの範囲内の速度で上記画像をシフトするように構成されている、項目２１に記載のシステム。
（項目２３）
上記画像シフト距離は、０．１ｃｍ乃至５ｃｍの範囲内である、項目２１に記載のシステム。
（項目２４）
上記画像シフト距離は、デバイスからの入力によって、ユーザ選択可能であって、上記電子回路は、該入力に応答して、上記事前選択された距離を調節するように構成されている、項目１５に記載のシステム。
（項目２５）
上記電子回路は、上記ユーザが上記距離を選択可能であるように、上記ディスプレイ上で交互に左右にシフトされるフレームを表示するように構成されている、項目２４に記載のシステム。
（項目２６）
上記電子回路は、上記ユーザが上記画像を単一画像として知覚する最大距離まで増分的に上記距離を増加するように構成されている、項目２４に記載のシステム。
（項目２７）
上記電子回路は、左眼視力および右眼視力を交代させるために、各眼の上に装着されているシャッタを開閉するように構成されている、項目１５に記載のシステム。
（項目２８）
上記左眼シャッタおよび上記右眼シャッタは、上記電子回路からのタイミング信号に応答して開閉するように構成されている、液晶シャッタを備えている、項目２７に記載のシステム。
（項目２９）
上記左眼シャッタおよび上記右眼シャッタは、上記電子回路からのタイミング信号に応答して開閉するように構成されている、機械的シャッタを備えている、項目２７に記載のシステム。
（項目３０）
ユーザによって装着されるように構成されているフレームをさらに備え、上記左眼シャッタおよび上記右眼シャッタは、上記フレーム上に搭載されている、項目１５に記載のシステム。
（項目３１）
左レンズおよび右レンズをさらに備え、それぞれ、上記フレームに接続され、上記ユーザの視力を矯正する、項目３０に記載のシステム。
（項目３２）
上記フレームおよびシャッタは、上記ユーザの視力を矯正するレンズと使用するために構成されている、項目３０に記載のシステム。
（項目３３）
上記レンズは、上記ユーザの近視、遠視、乱視、または擬似近視のうちの少なくとも１つを矯正する、項目３２に記載のシステム。
（項目３４）
上記レンズは、読書用眼鏡を含む、項目３２に記載のシステム。